(57)【特許請求の範囲】
【請求項１】
画像データの信号処理を行う信号処理装置であって、
デジタル画像としてＹ，Ｕ，Ｖデータを一時的に保持するデータ記憶手段と、
前記保持されたＹ，Ｕ，Ｖデータを読み出すデータ読出手段と、
前記読み出されたＹ，Ｕ，ＶデータをＹとＵＶデータに分けて処理して複数のデジタル出力信号としてＹ，Ｕ，Ｖデータと、クロマ信号データと、前記クロマ信号データを前記Ｙデータと組み合せたコンポジット信号を生成するデータ処理手段と、
前記生成された複数のデジタル出力信号の中から、コンポジット信号及びコンポーネント信号に対応したデジタル出力信号を選択するデータ選択手段と、
前記選択されたデジタル出力信号を各々別個に出力する所定数の出力端子を有するデータ出力手段と、
前記データ出力手段により出力されたＹデータをＤＡ変換するＤＡ変換器と、クロマ信号データと前記クロマ信号データを前記Ｙデータと組み合せたコンポジット信号とを前記データ選択手段に入力していずれか一方が選択され前記データ出力手段により出力された出力データをＤＡ変換するＤＡ変換器と、前記Ｕ，Ｖデータと前記クロマ信号データを前記データ選択手段に入力していずれか一方が選択され前記データ出力手段により出力された出力データをＤＡ変換するＤＡ変換器との３つのＤＡ変換器からなるＤＡ変換手段を具え、
コンポジット信号及びコンポーネント信号に対応した入力インターフェイスに適合するように前記データ選択手段の設定を切り替えることを特徴とする信号処理装置。
【請求項２】
前記データ処理手段と、前記データ選択手段と、前記データ出力手段とを１つの信号処理ユニットとして構成したことを特徴とする請求項１記載の信号処理装置。
【請求項３】
前記データ処理手段は、前記Ｙデータに同期信号を加算する加算手段をさらに具えたことを特徴とする請求項１または２のいずれかに記載の信号処理装置。
【請求項４】
前記コンポジット信号はＴＶモニタ表示のための出力信号であり、前記コンポーネント信号は液晶パネル表示のための出力信号であることを特徴とする請求項１に記載の信号処理装置。
【請求項５】
前記処理手段で処理されるＹ，Ｕ，Ｖデータのうち、Ｕ，Ｖデータは点順次信号であることを特徴とする請求項１に記載の信号処理装置。
【請求項６】
前記ＤＡ変換手段により出力されるＵ，Ｖデータは点順次のアナログ信号であることを特徴とする請求項５に記載の信号処理装置。
【発明の詳細な説明】
【０００１】
【発明の属する技術分野】
本発明は、映像信号の処理を行う信号処理装置およびその方法に関し、特に、ＴＶモニタや液晶モニタへの任意の表示方式に対応して映像信号を選択して出力することが可能な映像出力装置に関する。
【０００２】
【従来の技術】
図１０は、映像信号の処理を行う第１の従来例としての信号処理装置を示す。
【０００３】
１０１はＣＣＤセンサであり、このＣＣＤセンサ１０１で受光した映像は電気信号に変換される。
【０００４】
１０２はＡ／Ｄ変換器であり、ＣＣＤセンサ１０１の出力であるアナログの映像信号をデジタルの映像信号に変換する。
【０００５】
１０３は撮影系の信号処理回路であり、ＣＣＤ出力信号から色キャリア除去やアパチャー補正やガンマ処理等を施して輝度信号を作り、また、同時に色補間やマトリクス変換やガンマ処理やゲイン調整等を施して色差信号を作り、ＹＵＶ等の映像信号を出力する。
【０００６】
１０５はＶＲＡＭであり、例えば、ダイナミックＲＡＭ（ＤＲＡＭ）に書込み用と読出し用のポートを設けて、水平ライン毎にアドレッシングを行う構成をしたビデオ用のメモリである。
【０００７】
１０４は、ＶＲＡＭ１０５ヘデータの書込みや読出しを行うためのメモリインターフェイス（Ｉ／Ｆ）回路である。この回路１０４は、データ書込み回路（ＲＷ）１０４ａと、データ読出し回路（ＲＤ）１０４ｂとを備えている。
【０００８】
データ書込み回路１０４ａによって信号処理回路１０３の信号処理後の映像信号をＶＲＡＭ１０５へ書き込み、データ読出し回路１０４ｂによってＶＲＡＭ１０５に格納された映像データを読み出し、後段の回路へ出力する（例えば、図５に示すように、水平ライン毎に連続したメモリアドレス上にＹ，Ｕ，Ｙ，Ｖ…、とデータを格納し、水平ライン毎にＨ１，Ｈ２，…のアドレスポインタとデータサイズに従ってデータを読み出す）。
【０００９】
１０６は、ＴＶ系の信号処理回路である。この信号処理回路１０６は、メモリＩ／Ｆ回路１０４のＹ，Ｕ，Ｖの出力信号を、クロマエンコード処理や帯域補正やコンポジット化等の信号処理を行って、ＴＶ用の信号として出力する。
【００１０】
１０７および１０８は、Ｄ／Ａ変換器（ＤＡＣ）であり、デジタル映像信号の出力をアナログ映像信号の出力に変換する。
【００１１】
Ｄ／Ａ変換１０７は輝度信号用の変換器であり、１０８は変調クロマ信号用の変換器である。
【００１２】
１１１は輝度帯域のローパスフィルタ（ＬＰＦ）であり、Ｄ／Ａ変換後に含まれている高周波ノイズ成分をカットする。
【００１３】
１１２は変調クロマ帯域のバンドパスフィルタ（ＢＰＦ）であり、クロマ帯域のみの信号を取り出している。
【００１４】
１１５は、ＬＰＦ１１１からのアナログ輝度信号と、ＢＰＦ１１２からのアナログクロマ信号とをミックスし、コンポジットビデオ信号として出力するＭＩＸ回路である。
【００１５】
１１６はビデオアンプであり、ＴＶ用の信号レベルや出力インピーダンスで出力する回路である。
【００１６】
１１９は、一般的なビデオ入力を有するＴＶモニタであり、ＮＴＳＣ方式やＰＡＬ方式等とそれぞれのＴＶ方式に従って映像を表示する。
【００１７】
１１７は液晶用のデコーダ／コントローラであり、液晶表示で必要な駆動パルスを発生したり、ＬＰＦ１１１からの輝度信号（Ｙ）とＢＰＦ１１２からのクロマ信号（Ｃ）をもとに液晶に表示するためのＲＧＢ信号にデコードする回路ブロックである。
【００１８】
この場合、デコーダ／コントローラ１１７のデコード回路で変調クロマ信号をデコードするために、サブキャリアの源発振用水晶（ＮＴＳＣ：ｆsc＝３．５８ＭＨｚ、ＰＡＬ：ｆsc＝４．４３ＭＨｚ）が必要であり、ＮＴＳＣとＰＡＬ方式の回路は別々の構成になる。
【００１９】
１１８は液晶表示パネルであり、コントローラ１１７からの信号を液晶デバイスを用いて可視映像として表示する。
【００２０】
そして、図１０の回路において、ＣＣＤ１０１で受光された映像信号は、Ａ／Ｄ変換器１０２でデジタル映像信号に変換され、撮像系の信号処理回路１０３でＹＵＶ形式の映像信号に処理される。
【００２１】
信号処理回路１０３の出力Ｙは輝度信号を示し、色キャリア除去やアパチャー補正やガンマ変換等の処理をして生成している。
【００２２】
出力Ｕは（Ｂ−Ｙ）の色差信号で、出力Ｖは（Ｒ−Ｙ）の色差信号を示し、色補間やマトリクス変換やガンマ変換等の処理を施して生成している。
【００２３】
信号処理回路１０３の撮像系信号処理のＹ，Ｕ，Ｖの出力は、例えば、図５のＹＵＶデータ配列に示すように、画面左上から順に、上位データ（Ｙ0，Ｙ1，Ｙ2，Ｙ3，Ｙ4，Ｙ5，…）と、下位データ（Ｕ0，Ｖ0，Ｕ2，Ｖ2，Ｕ4，Ｖ4，…）と、メモリＩ／Ｆ１０４のブロックヘ送られる。
【００２４】
ＶＲＡＭ１０５のデータは、メモリＩ／Ｆ１０４のブロックのデータ読出し回路１０４ｂにより読み出され、ＴＶ系の信号処理回路１０６によって、輝度や変調クロマ信号に処理されていく。
【００２５】
ＴＶ系の信号処理回路１０６の輝度（Ｙ）出力は、Ｄ／Ａ変換器（ＹＤＡＣ）１０７でアナログ信号に変換され、ＬＰＦ１１１で帯域制限される。クロマ（Ｃ）出力は、Ｄ／Ａ変換器（ＣＤＡＣ）１０８でアナログ信号に変換され、ＢＰＦ１１２でクロマ帯域のみに制限される。
【００２６】
ＬＰＦ１１１のＹ信号出力とＢＰＦ１１２のＣ信号出力は、ＭＩＸ回路１１５でミックスされてコンポジットビデオ信号となり、ビデオアンプ１１６を通してＴＶモニタ１１９に出力される。
【００２７】
また、ＬＰＦ１１１からのＹ出力とＢＰＦ１１２からのＣ出力をデコーダ／コントローラ１１７に入力し、その入力に基づいてデコーダ／コントローラ１１７で液晶表示するためのＲＧＢデータや液晶表示パネル制御用の信号を発生させて、液晶表示パネル１１８ヘ出力する。
【００２８】
図１１は、第２の従来例としての信号処理装置を示す。なお、前述した第１の従来例と同様な部分については同一符号を付し、その説明は省略する。
【００２９】
１０９および１１０は、Ｄ／Ａ変換器（ＤＡＣ）であり、デジタル映像信号の出力をアナログ映像信号の出力に変換する。
【００３０】
Ｄ／Ａ変換器１０９は、色差Ｕ（＝Ｂ−Ｙ）信号変換用のＤＡＣであり、Ｄ／Ａ変換器１１０は、色差Ｖ（＝Ｒ−Ｙ）信号変換用のＤＡＣである。
【００３１】
１１３および１１４は、通常１．５ＭＨｚ〜２ＭＨｚぐらいの色差信号帯域のローパスフィルタ（ＬＰＦ）であり、色差信号帯域以外のＤ／Ａ変換後に含まれている高周波ノイズ成分をカットする。
【００３２】
ＴＶ系の信号処理回路１０６からの出力Ｃは、デジタルであり、ＹとＣを加算したコンポジットビデオ信号である。
【００３３】
Ｄ／Ａ変換器１０８は、このコンポジット信号のＤ／Ａ変換を行う。
【００３４】
１２１は、輝度帯域のＬＰＦ１１１と同特性のローパスフィルタであり、Ｄ／Ａ変換後に含まれている映像信号以外の高周波ノイズ成分をカットする。
【００３５】
液晶用のデコーダ／コントローラ１１７は、第１の従来例とは異なり、ＬＰＦ１１１からの輝度信号（Ｙ）とＬＰＦ１１３からの色差信号（Ｂ−Ｙ）とＬＰＦ１１４からの色差信号（Ｒ−Ｙ）をもとに、液晶に表示するための信号に変換する回路である。
【００３６】
ＣＣＤ１０１からＴＶ系の信号処理回路１０６までの回路は、第１の従来例と同様であり、ここでは１０６に色差信号ＵＶ出力が加わっている。
【００３７】
これは、デコーダ／コントローラ１１７のデコード回路を変調クロマ信号からでなく、ＹＵＶの輝度−色差信号から行うためである。この輝度−色差信号から液晶表示用のＲＧＢをデコードすることにより、第１の従来例と異なり、ＲＧＢデコードのためにサブキャリアの源発振水晶を必要とせず、部品削減による低コスト化を図ることができる。また、デコーダ／コントローラ１１７が同一の回路構成でＮＴＳＣとＰＡＬ方式の両方に対応でき、量産効果による低コスト化が図れる。さらに、液晶表示を第１の従来例より高画質にできるという特徴がある。
【００３８】
【発明が解決しようとする課題】
第１の従来例の場合には、ＲＧＢデコードのために、サブキャリアの源発振水晶を必要とし、部品点数の増加という問題や、ＮＴＳＣ方式とＰＡＬ方式とで回路構成が異なるため、各々別個の調整方法を用いなければならないという問題がある。
【００３９】
第２の従来例の場合には、液晶表示パネルに画像を表示するために、輝度信号Ｙと色差信号Ｕ（Ｂ−Ｙ）、Ｖ（Ｒ−Ｙ）と、さらに、ＴＶモニタ用にコンポジット信号の４つのＤ／Ａ変換器を必要としている上に、Ｓ端子入力ＴＶモニタに出力表示をする場合にはクロマ信号用のＤＡ変換器を増やさなければならないという問題があり、対象とする表示機器が変わる場合には、システム全体の構成を見直さなければならないという問題がある。
【００４０】
また、ＴＶモニタと液晶表示パネルのどちらか一方のみの画像を表示する場合でも、共通に使用している輝度信号ＹのＤＡＣの電源は入れたままにして置かなければならず、そのためＤＡＣ出力の後段回路も必要無いのに電源を入れておく必要があり、システムの電源消費に無駄が生じてしまう。
【００４１】
さらに、ＤＡＣ出力の後段回路の電源を切るために、後段回路の入力に電源が入ってなくても高インピーダンスになる回路を付加しなければならないため、システム回路の規模が増大するという問題がある。
【００４２】
そこで、本発明の目的は、表示方式が異なっても、システム全体に大幅な変更を加えることなく、部品点数を増加させずに安価な構成とすることが可能な信号処理装置を提供することにある。
【００４３】
【課題を解決するための手段】
本発明は、画像データの信号処理を行う信号処理装置であって、 デジタル画像としてＹ，Ｕ，Ｖデータを一時的に保持するデータ記憶手段と、前記保持されたＹ，Ｕ，Ｖデータを読み出すデータ読出手段と、前記読み出されたＹ，Ｕ，ＶデータをＹとＵＶデータに分けて処理して複数のデジタル出力信号としてＹ，Ｕ，Ｖデータと、クロマ信号データと、前記クロマ信号データを前記Ｙデータと組み合せたコンポジット信号を生成するデータ処理手段と、前記生成された複数のデジタル出力信号の中から、コンポジット信号及びコンポーネント信号に対応したデジタル出力信号を選択するデータ選択手段と、前記選択されたデジタル出力信号を各々別個に出力する所定数の出力端子を有するデータ出力手段と、前記データ出力手段により出力されたＹデータをＤＡ変換するＤＡ変換器と、クロマ信号データと前記クロマ信号データを前記Ｙデータと組み合せたコンポジット信号とを前記データ選択手段に入力していずれか一方が選択され前記データ出力手段により出力された出力データをＤＡ変換するＤＡ変換器と、前記Ｕ，Ｖデータと前記クロマ信号データを前記データ選択手段に入力していずれか一方が選択され前記データ出力手段により出力された出力データをＤＡ変換するＤＡ変換器との３つのＤＡ変換器からなるＤＡ変換手段を具え、コンポジット信号及びコンポーネント信号に対応した入力インターフェイスに適合するように前記データ選択手段の設定を切り替えることを特徴とする。
【００４４】
前記データ処理手段と、前記データ選択手段と、前記データ出力手段とを１つの信号処理ユニットとして構成したことを特徴とする。
【００４５】
前記データ処理手段は、前記Ｙデータに同期信号を加算する加算手段をさらに具えたことを特徴とする。
【００４６】
前記コンポジット信号はＴＶモニタ表示のための出力信号であり、前記コンポーネント信号は液晶パネル表示のための出力信号であることを特徴とする。
【００４７】
前記処理手段で処理されるＹ，Ｕ，Ｖデータのうち、Ｕ，Ｖデータは点順次信号であることを特徴とする。
【００４８】
前記ＤＡ変換手段により出力されるＵ，Ｖデータは点順次のアナログ信号であることを特徴とする。
【００５４】
【発明の実施の形態】
以下、図面を参照して、本発明の実施の形態を詳細に説明する。
【００５５】
［概要］
まず、本発明の概要について説明する。
【００５６】
本発明は、デジタル画像データを一時的に保持する記憶手段と、該記憶手段からデジタル画像データを読み出すための読出し手段と、該読み出されたデジタル画像データの信号処理を実行する信号処理手段と、該処理されたデジタル画像データをアナログ信号に変換するＤＡ変換手段と、該ＤＡ変換された前記アナログ信号を表示する表示手段とを備えたシステムにおいて、前記信号処理手段は、信号処理によって複数のデジタルデータを作成し、データ表示方式に対応してデータセレクタを切り替え制御することによって、該作成した複数のデジタルデータの中から、データ表示方式に対応したデジタルデータを選択して出力し、さらに、前記ＤＡ変換手段は、前記信号処理手段から選択出力されたデジタルデータをアナログ信号に変換して、その変換されたアナログ信号を前記データ表示方式に従った表示手段に出力するものである。
【００５７】
この場合、ＤＡ変換手段は、輝度信号専用でＤＡ変換する（ＹＤＡＣ）と、コンポジット信号と変調クロマ信号のどちらかをＤＡ変換する（ＣＤＡＣ）と、点順次色差信号と変調クロマ信号のどちらかをＤＡ変換する（ＲＢＤＡＣ）との３つのＤＡ変換器を備え、信号処理手段内のデータセレクタの切り替えを行うことによって、ＤＡ変換する信号を切り替える。
【００５８】
例えば、図１に示すような、コンポジット信号入力のＴＶモニタと液晶表示のシステム時には、コンポジット信号をＣＤＡＣに、輝度信号をＹＤＡＣに、色差点順次信号をＲＢＤＡＣに出力する。
【００５９】
また、図７に示すような、Ｓ端子入力のＴＶモニタと液晶表示のシステム時には、変調クロマ信号をＣＤＡＣに、輝度信号をＹＤＡＣに、色差点順次信号をＲＢＤＡＣに出力する。
【００６０】
さらに、図８に示すような、Ｓ端子入力のＴＶモニタとコンポジット信号入力のＴＶモニタ表示のシステム時には、コンポジット信号をＣＤＡＣに、輝度信号をＹＤＡＣに、変調クロマ信号をＲＢＤＡＣに出力する。
【００６１】
以下、具体的な例を挙げて説明する。
【００６２】
［第１の例］
まず、本発明の第１の実施の形態を、図１〜図６に基づいて説明する。なお、前述した第１および第２の従来例（図１０，図１１参照）と同一部分については、その説明を省略する。
【００６３】
（システム構成）
図１は、本システムの全体構成を示す。
【００６４】
１はＣＣＤセンサであり、このＣＣＤセンサ１で受光した映像は電気信号に変換される。
【００６５】
２はＡ／Ｄ変換器であり、ＣＣＤセンサ１の出力信号であるアナログ映像信号をデジタル映像信号に変換する。
【００６６】
３は撮影系の信号処理回路であり、ＣＣＤセンサ１の出力信号から色キャリア除去，アパチャー補正，ガンマ処理等を施して輝度信号を作り、また同時に、色補間，マトリクス変換，ガンマ処理，ゲイン調整等を施して色差信号を作り、ＹＵＶ等の映像信号を出力する（ここで、Ｕは色差信号Ｂ−Ｙを示し、Ｖは色差信号Ｒ−Ｙを示す。）
５はメモリとしてのＶＲＡＭであり、例えば、ダイナミックＲＡＭ（ＤＲＡＭ）に書込み用と読出し用のポートを設け、水平ライン毎にアドレッシングを行う構成をしたビデオ用メモリとして構成できる。
【００６７】
４は、ＶＲＡＭ５ヘデータの書込みや読出しを行うためのメモリインターフェイス（Ｉ／Ｆ）回路である。このメモリＩ／Ｆ回路４は、データ書込み回路（ＷＲ）４ａと、データ読出し回路（ＲＤ）４ｂとを備えている。
【００６８】
データ書込み回路４ａによって信号処理回路３の信号処理後の映像信号をＶＲＡＭ５へ書き込み、データ読出し回路によってＶＲＡＭ５に格納された映像データを読み出し、後段の回路へ出力する（例えば、図５に示すように、水平ライン毎に連続したメモリアドレス上にＹ，Ｕ，Ｙ，Ｖ…、とデータを格納し、水平ライン毎にアドレスポインタとデータサイズに従ってデータを読出す）。
【００６９】
６は、ＴＶ系の信号処理回路である。この信号処理回路１０６は、メモリＩ／Ｆ回路４から読み出されたＹ，Ｕ，Ｖの出力信号を、クロマエンコード処理や帯域補正やコンポジット化等の信号処理を行って、ＴＶ用の信号として出力する。なお、信号処理回路１０６の詳細な説明については後述する。
【００７０】
７，８，９は、Ｄ／Ａ変換器（ＹＤＡＣ，ＣＤＡＣ，ＲＢＤＡＣ）であり、デジタル映像信号をアナログ映像信号に変換して出力する。
【００７１】
Ｄ／Ａ変換器７は、輝度信号を変換するＤＡＣである。Ｄ／Ａ変換器８は、輝度信号と変調クロマ信号が加算されたコンポジット信号を変換するＤＡＣである。Ｄ／Ａ変換器９は、ＵＶ（点順次色差：Ｂ−Ｙ／Ｒ−Ｙ）信号を変換するＤＡＣである。
【００７２】
１１は、輝度帯域のローパスフィルタ（ＬＰＦ）と同特性のローパスフィルタであり、Ｄ／Ａ変換後に含まれている映像信号以外の高周波ノイズ成分をカットする。
【００７３】
１２は、ビデオアンプであり、ＴＶ用の信号レベルや出力インピーダンスで出力する回路である。
【００７４】
１３は、一般的なビデオ入力を有するＴＶモニタであり、ＮＴＳＣ方式やＰＡＬ方式等とそれぞれのＴＶ方式に従って映像を表示する。
【００７５】
１６は、色差の同時化回路と色差信号のＬＰＦとからなる同時化回路＆ＬＰＦである。この同時化回路＆ＬＰＦ１６は、図３に示すように、点順次色差信号を、Ｂ−ＹとＲ−Ｙのそれぞれ独立した色差信号に変換して、色差信号帯域のＬＰＦ４１，４２を通して出力する。
【００７６】
１７は、液晶用のデコーダ／コントローラである。このデコーダ／コントローラ１７は、液晶表示で必要な駆動パルスを発生したり、ＬＰＦ１０からの輝度信号（Ｙ）と同時化回路＆ＬＰＦ１６からの色差信号（Ｂ−ＹとＲ−Ｙ）をもとに、液晶に表示するための信号に変換する。
【００７７】
１８は、液晶表示パネルであり、液晶用のデコーダ／コントローラ１７からの信号を液晶デバイスを用いて可視映像として表示する。
【００７８】
次に、ＴＶ系の信号処理回路６の内部構成を、図２に基づいて説明する。
【００７９】
２０は、信号処理回路６の入力端子であり、図１のメモリＩ／Ｆ４からＹ，Ｕ，Ｖ信号が入力される。
【００８０】
２１は、色差信号同時化回路であり、デジタルで点順次色差信号ＵＶを１クロックおき交互にサンプリングすることによって、Ｕ（Ｂ−Ｙ）信号とＶ（Ｒ−Ｙ）信号とを分離し、これらＵ（Ｂ−Ｙ）信号とＶ（Ｒ−Ｙ）信号とを時間的に揃える。
【００８１】
さらに、点順次色差信号は、輝度信号のサンプリングレートの半分であり（ＹＵＶ＝４２２）、クロマエンコードするためには、同時化色差信号を補完して輝度信号Ｙのサンプリングレートと合わせる必要がある（ＹＵＶ＝４４４にする）。そのための１画素おきの補間を行う回路が同時化回路２１に含まれている。
【００８２】
２２は、クロマエンコード回路であり、前段の同時化回路２１からのＵ（Ｂ−Ｙ）信号とＶ（Ｒ−Ｙ）信号とを変調して、ＮＴＳＣ方式やＰＡＬ方式の変調クロマ信号を発生させる。
【００８３】
２３は、７ＭＨｚに零点のあるローパスフィルタ（ＬＰＦ）であり、クロマエンコード回路２２の出力のクロマ信号に加算してコンポジット信号にするために、輝度信号上の変調クロマ信号の帯域を抑制するのが目的である。
【００８４】
２４は、アパーチャ補正回路であり、入力２０からの輝度信号の高域特性を変更して高解像度の輝度信号を発生させる。このアパーチャ補正は、設定により可変であり、アパーチャ補正をＯＦＦすることもできる。
【００８５】
５０および５１は、同期信号ＳＹＮＣを加算するためのＳＹＮＣ加算回路である。
【００８６】
加算回路５０は、アパーチャ補正回路２４から出力される輝度信号に同期信号ＳＹＮＣを加算する。加算回路５１は、ＬＰＦ２３から出力される輝度信号に同期信号ＳＹＮＣを加算する。
【００８７】
２５は、クロマエンコード回路２２の出力変調クロマ信号とＬＰＦ２３の出力輝度信号を加算して、コンポジット信号にするための加算回路である。
【００８８】
５２は、レート変換回路であり、点順次色差信号ＵＶを出力する。この場合、レート変換回路５２は、図６（ｂ）に示す入力端子２０に入力される色差信号Ｕ0，Ｖ0，Ｕ2，Ｖ2，Ｕ4，Ｖ4，…を、図６（ｃ）に示すような色差信号Ｕ0，Ｕ0，Ｖ0，Ｖ0，Ｕ4，Ｕ4，Ｖ4，Ｖ4，…と半分のレートに変換して出力する。また、このレート変換回路５２は、ＯＮ／ＯＦＦ切り替えによって、レート変換をしない設定にすることも可能である。
【００８９】
５３は、クロマエンコード回路２２の出力である変調クロマ信号と、色差信号同時化回路２１の出力であるＢ−Ｙ信号とを切り替えるためのセレクタである。
【００９０】
このセレクタ５３は、接点ａ，ｂ，ｃにより構成され、ＴＶ用又は液晶用の表示方式に対応して、ａ−ｃ間、ｂ−ｃ間の接続切替えが行われる。この場合、ａ−ｃ間の場合にはＢ−Ｙ信号が出力され、ｂ−ｃ間の場合には変調クロマ信号が出力される。
【００９１】
５４は、クロマエンコード回路２２の出力である変調クロマ信号と、色差信号同時化回路２１の出力であるＲ−Ｙ信号とを切り替えるためのセレクタである。
【００９２】
このセレクタ５４は、接点ｄ，ｅ，ｆにより構成され、ＴＶ用又は液晶用の表示方式に対応して、ｄ−ｆ間、ｅ−ｆ間の接続切替えが行われる。この場合、ｄ−ｆ間の場合には変調クロマ信号が出力され、ｅ−ｆ間の場合にはＲ−Ｙ信号が出力される。
【００９３】
２６は、加算回路２５からの出力であるコンポジット信号と、セレクタ５３からの出力信号とを切り替えて出力するためのセレクタである。
【００９４】
このセレクタ２６は、接点ｇ，ｈ，ｉにより構成され、ＴＶ用又は液晶用の表示方式に対応して、ｇ−ｉ間、ｈ−ｉ間の接続切替えが行われる。この場合、ｇ−ｉ間の場合にはコンポジット信号が出力され、ｈ−ｉ間の場合にはセレクタ５３からの出力信号である変調クロマ信号又はＢ−Ｙ信号が出力される。
【００９５】
２７は、セレクタ５４からの出力信号とレート変換回路５２から出力される点順次の色差信号ＵＶとを切り替えて出力するためのセレクタである。
【００９６】
このセレクタ２７は、接点ｊ，ｋ，ｍにより構成され、ＴＶ用又は液晶用の表示方式に対応して、ｊ−ｍ間、ｋ−ｍ間の接続切替えが行われる。この場合、ｊ−ｍ間の場合にはセレクタ５４からの出力信号である変調クロマ信号又はＲ−Ｙ信号が出力され、ｋ−ｍ間の場合にはレート変換回路５２から出力される点順次の色差信号ＵＶが出力される。
【００９７】
２８は、ＴＶ系の信号処理回路６の輝度信号Ｙを出力する出力端子であり、アパーチャ補正回路２４からの出力である。
【００９８】
２９は、セレクタ２６からの出力信号である、ＴＶ系の信号処理回路６のコンポジット信号、変調クロマ信号、若しくは、同時化信号を出力する出力端子である。
【００９９】
３０は、セレクタ２７からの出力信号である、色差信号ＵＶ、変調クロマ信号、若しくは、同時化信号を出力する出力端子である。
【０１００】
次に、同時化回路＆ＬＰＦ１６の内部構成を、図３に基づいて説明する。
【０１０１】
３１は、同時化信号Ｕ，Ｖの入力端子である。
【０１０２】
３２は、同時化信号Ｕ、（Ｂ−Ｙ）信号出力用のサンプルホールド制御信号ＳＨ−１である。
【０１０３】
３３は、同時化信号Ｖ、（Ｒ−Ｙ）信号出力用のサンプルホールド制御信号ＳＨ−２である。
【０１０４】
これらサンプルホールド制御信号３２，３３は、ＴＶ系の信号処理回路６から同時化回路＆ＬＰＦ１６へ供給される。
【０１０５】
３４は、入力端子３１から入力された信号を低インピーダンスでドライブするバッファである。
【０１０６】
３５および３６は、それぞれＢ−Ｙ信号，Ｒ−Ｙ信号をサンプル用のスイッチである。
【０１０７】
３７は、Ｂ−Ｙ信号ホールド用のコンデンサであり、スイッチ３５がＯＮしているとき電荷の注入および放出がなされ、スイッチ３５がＯＦＦしているとき電荷の保持がなされる。
【０１０８】
３８は、Ｒ−Ｙ信号ホールド用のコンデンサであり、スイッチ３６がＯＮしているとき電荷の注入および放出がなされ、スイッチ３６がＯＦＦしているとき電荷の保持がなされる。
【０１０９】
３９および４０は、バッファ３４と同様なバッファであり、それぞれＢ−Ｙ信号とＲ−Ｙ信号をドライブする。
【０１１０】
４１および４２は、帯域制限用のローパスフィルタ（ＬＰＦ）であり、後段の液晶表示する上で十分な色差信号帯域に設定され、Ｄ／Ａ変換時にあるノイズや同時化するときのサンプル／ホールドのスイッチングノイズ等を抑制する。
【０１１１】
４３は、同時化されたＵ（Ｂ−Ｙ）信号を出力する出力端子である。４４は、同時化されたＶ（Ｒ−Ｙ）信号を出力する出力端子である。
【０１１２】
図４は、入力端子３１から入力されるＵＶ信号と、サンプルホールド制御信号３２，３３とのタイミング関係を示す。
【０１１３】
サンプルホールド制御信号３２により、Ｂ−Ｙ信号サンプル用のスイッチ３５は、点順次色差Ｕ（Ｂ−Ｙ）の信号期間でサンプル（ＯＮ）し、点順次色差Ｖ（Ｒ−Ｙ）の信号期間でホールド（ＯＦＦ）する。
【０１１４】
同様に、サンプルホールド制御信号３３により、Ｒ−Ｙ信号サンプル用のスイッチ３６は、点順次色差Ｖ（Ｒ−Ｙ）の信号期間でサンプル（ＯＮ）し、点順次色差Ｕ（Ｂ−Ｙ）の信号期間でホールド（ＯＦＦ）する。
【０１１５】
なお、本システムにおいて、ＴＶモニタ１３と液晶表示パネル１８のどちらか一方のみの画像を表示する場合、ＤＡ変換器７〜９の電源を個々に制御するようにしてもよい。
【０１１６】
［システム動作］
次に、本システムの動作について説明する。
【０１１７】
図１中のＣＣＤ１で受光された映像信号は、Ａ／Ｄ変；換器２でデジタル映像信号に変換され、撮像系信号処理回路３でＹＵＶ形式の映像信号に処理される。撮像系信号処理回路３の輝度信号Ｙ出力は、色キャリア除去、アパチャー補正、ガンマ変換等の処理をして生成される。色差信号Ｕ（Ｂ−Ｙ）と色差信号Ｖ（Ｒ−Ｙ）は、色補間、マトリクス変換、ガンマ変換等の処理を施して生成される。
【０１１８】
撮像系の信号処理回路３のＹ，Ｕ，Ｖの出力は、例えば、図５のＹ，Ｕ，Ｖデータ配列に示すように、画面左上から順に、上位データ（Ｙ0，Ｙ1，Ｙ2，Ｙ3，Ｙ4，Ｙ5，…）と、下位データ（Ｕ0，Ｖ0，Ｕ2，Ｖ2，Ｕ4，Ｖ4，…）と、メモリＩ／Ｆ１０４のブロックヘ送られる。
【０１１９】
ＶＲＡＭ１０５のデータは、メモリＩ／Ｆ１０４のブロックのデータ読出し回路１０４ｂにより読み出され、ＴＶ系の信号処理回路６によって、輝度信号、変調クロマ信号、コンポジット信号に処理されていく。
【０１２０】
そして、信号処理回路６において、入力されたＹ，Ｕ，Ｖ信号は、ＹとＵＶの信号に分けられ、Ｙはアパーチャ補正回路２４で高域側の特性が補正され、輝度信号Ｙとして出力端子２８から出力される。また、輝度信号Ｙは、ＬＰＦ２３にてクロマ帯域である高域側が抑制され、加算器２５にて変調クロマ信号と加算され、ＴＶ系のコンポジット信号になる。
【０１２１】
ＵＶ信号は、同時化回路２１でＵ（Ｂ−Ｙ）とＶ（Ｒ−Ｙ）に分けられ、クロマエンコード回路２２に入力される。クロマエンコード回路２２では、Ｕ（Ｂ−Ｙ）とＶ（Ｒ−Ｙ）の信号を、１４ＭＨｚ（サブキャリアの４倍の周波数）でサンプリングし、３．５８ＭＨｚの変調クロマ信号（ＰＡＬ方式では、４．４３ＭＨｚの変調クロマ信号）に変換する。クロマエンコード回路２２から出力される変調クロマ信号は、前述した輝度信号Ｙと加算器２５で加算され、コンポジット信号としてセレクタ２６に入力される。
【０１２２】
また、この変調クロマ信号は、そのままセレクタ５３に入力される。セレクタ５３とセレクタ２６とでは、前述したコンポジット信号と変調クロマ信号と同時化Ｂ−Ｙ信号とを切り替えて、出力端子２９のＣ出力へ出力する。
【０１２３】
具体的には、セレクタ２６で接点ｇ−ｉ間が接続されることによって、コンポジット信号が出力される。セレクタ５３で接点ｂ−ｃ間、および、セレクタ２６の接点ｈ−ｉ間が接続されることによって、変調クロマ信号が出力される。セレクタ５３で接点ａ−ｃ間、および、セレクタ２６の接点ｈ−ｉ間が接続されることによって、同時化Ｂ−Ｙ信号が出力される。
【０１２４】
そして、今、セレクタ２６からのＣ出力をコンポジット信号とすると、ＤＡ変換器８によりＤＡ変換してビデオアンプ１２を通過させることによって、ＴＶ信号としてＴＶモニタ１３において画像表示させることができる。
【０１２５】
なお、セレクタ２６からのＣ出力を変調クロマ信号とすると、後述する第２および第３の例に示すような出力処理{Ｓ端子（ＹＣセパレート端子）でＴＶモニタ１５に出力}を行うことができる。また、セレクタ２６からのＣ出力を同時化Ｂ−Ｙ信号にすると同時に、セレクタ２７からのＲＢ出力を同時化Ｒ−Ｙ信号にすることによって、後述する第４の例に示すような出力処理{液晶へのＹ，Ｂ−Ｙ，Ｒ−Ｙ信号を出力}を行うことができる。
【０１２６】
一方、図２において、ＵＶ信号は、レート変換回路５２を通してセレクタ２７に入力される。セレクタ２７には、クロマエンコード回路２２からの変調クロマ信号と同時化回路２１からのＲ−Ｙ信号とを切り替えるセレクタ５４の出力も入力されている。従って、セレクタ２７では、ＵＶ信号とセレクタ５４からの出力とを切り替えることによって、出力端子３０からＲＢ出力として出力される。
【０１２７】
具体的には、セレクタ２７で接点ｋ−ｍ間が接続されることによって、ＵＶ信号が出力される。セレクタ５４の接点ｄ−ｆ間、および、セレクタ２７の接点ｊ−ｍ間が接続されることによって、変調クロマ信号が出力される。セレクタ５４の接点ｅ−ｆ間、および、セレクタ２７の接点ｊ−ｍ間が接続されることによって、同時化Ｒ−Ｙ信号が出力される。
【０１２８】
そして、今、セレクタ２７からのＲＢ出力を点順次色差のＵＶ信号とすると、ＲＢ用のＤＡ変換器９でＤＡ変換し、同時化回路＆ＬＰＦ１６でＵ（Ｂ−Ｙ）とＶ（Ｒ−Ｙ）の別々の色差信号に同時化して、液晶用のデコーダ／コントローラ１７を介して、液晶表示パネル１８にカラー画像表示を行うことができる。
【０１２９】
なお、セレクタ２７からのＲＢ出力を変調クロマ信号とすると、後述する第３の例に示すような出力処理{ＲＢ用のＤＡ変換器９でＤＡ変換してＢＰＦ１１を通すことにより、ＬＰＦ１０の輝度信号出力Ｙと合わせてＳ端子出力}を行うことができる。
【０１３０】
以上、図２を用いて説明したように、ＴＶ系の信号処理回路６では、入力用のＹ，Ｕ，Ｖ信号を、ＹとＵＶの信号に分けて処理し、表示方式に対応してセレクタ２６，２７，５３，５４の接続形態の切替え制御することによって、その処理された信号を、出力端子２８からのＹ出力と、出力端子２９からのＣ出力と、出力端子３０からのＲＢ出力とに振り分けて出力することができる。
【０１３１】
そして、出力端子２８からのＹ出力は、Ｙ用のＤＡ変換器７（例えば、９ビット）でＤＡ変換して、ＬＰＦ１０で輝度信号帯域のフィルタを通して液晶用のデコーダ／コントローラ１７に入力される。
【０１３２】
出力端子２９からの変調クロマのＣ出力は、Ｃ用のＤＡ変換器８（例えば、９ビット）でＤＡ変換して、ＬＰＦ１１でＴＶ映像信号帯域のフィルタを通してビデオアンプ１２に入力され、ＮＴＳＣ方式やＰＡＬ方式のＴＶ信号がＴＶモニタによって出力される。
【０１３３】
出力端子３０からの点順次色差のＲＢ出力は、ＲＢ用のＤＡ変換器９（例えば、８ビット）でＤＡ変換して、同時化回路＆ＬＰＦ１６に入力され、この同時化回路＆ＬＰＦ１６にて前述したようにＢ−Ｙ信号とＲ−Ｙ信号とが分離抽出され、後段の液晶用のデコーダ／コントローラ１７に入力される。
【０１３４】
液晶用のデコーダ／コントローラ１７では、Ｂ−Ｙ信号およびＲ−Ｙ信号の色差信号と、ＬＰＦ１０からの輝度信号Ｙとをデコードして、液晶表示に必要なＲＧＢ信号を出力し、液晶表示パネル１８で画像が表示される。
【０１３５】
上述したように、表示方式がコンポジット信号入力用のＴＶモニタ１３と液晶表示パネル１８とを用いたシステムでは、コンポジット信号をＤＡ変換器８に、輝度信号をＤＡ変換器７に、点順次色差信号をＤＡ変換器９にそれぞれ出力するような切替え制御を行うことによって、対象とする表示機器が変わっても、大幅な変更を必要としないシステムを構築できる。
【０１３６】
［第２の例］
次に、本発明の第２の実施の形態を、図７に基づいて説明する。なお、前述した第１の例と同一部分についてはその説明を省略し、同一符号を付す。
【０１３７】
本例では、図７に示すように、Ｓ端子出力アンプ１４と、Ｓ端子対応ＴＶモニタ１５と、バンドパスフィルタ（ＢＰＦ）１５とが設けられている。
【０１３８】
ただし、第１の例（図１参照）で示した、ＬＰＦ１１とビデオアンプ１２とＴＶモニタ１３とは削除されている。
【０１３９】
Ｓ端子出力アンプ１４は、Ｓ端子対応ＴＶモニタ１５の入力信号用として用いられ、輝度信号Ｙとクロマ信号Ｃとを別々に、インピーダンスマッチングを施した出力アンプである。
【０１４０】
Ｓ端子対応ＴＶモニタ１５は、高解像度画像表示のために、輝度信号Ｙと変調クロマ信号Ｃとをミックスせずに、セパレートで入力可能なＴＶモニタである。
【０１４１】
ＢＰＦ１９は、変調クロマ信号帯域のバンドパスフィルタであり、ＮＴＳＣ方式では３．５８ＭＨｚで、ＰＡＬ方式では４．４３ＭＨｚ中心のＢＰＦである。
【０１４２】
以下、本システムの動作について説明する。
【０１４３】
信号処理回路６内のセレクタ５３とセレクタ２６との切替え制御を行うことによって、出力端子２９に変調クロマ信号を出力する。すなわち、変調クロマ信号は、セレクタ５３でｂ−ｃ間を接続し、セレクタ２６でｈ−ｉ間を接続することによって出力される。
【０１４４】
また、セレクタ２７の切替え制御によって、出力端子３０に点順次色差のＵＶ信号を出力する。すなわち、ＵＶ信号は、セレクタ２７でｋ−ｍ間を接続することによって出力される。
【０１４５】
これにより、変調クロマ信号は、出力端子２９に接続されたＤＡ変換器８でＤＡ変換され、ＢＰＦ１９でクロマ信号帯域のフィルタ処理を施され、Ｓ端子出力アンプ１４でクロマ信号として入力させる。一方、このＳ端子出力アンプ１４の輝度信号入力端子には、ＬＰＦ１０から出力された輝度信号が入力される。
【０１４６】
そして、Ｓ端子出力アンプ１４では、輝度信号とクロマ信号とが別々のビデオアンプによってドライブされて出力される。Ｓ端子出力アンプ１４の出力は、後段のＳ端子対応ＴＶモニタ１５に入力され、高解像度のＴＶ画像が表示される。
【０１４７】
上述したように、表示方式に対応して信号処理回路６のセレクタ２６からのＣ出力が変調クロマ信号となるような切替え制御を行い、Ｓ端子出力アンプ１４のＳ端子（ＹＣセパレート端子）を介してＴＶモニタ１５に出力することにより、一段と高解像度な画像を表示することができる。
【０１４８】
なお、液晶表示関連は、前述した第１の例と同じ処理が施されて画像表示される。
【０１４９】
［第３の例］
次に、本発明の第３の実施の形態を、図８に基づいて説明する。なお、前述した各例と同一部分についてはその説明を省略し、同一符号を付す。
【０１５０】
本例では、図８に示すように、Ｓ端子出力アンプ１４と、Ｓ端子対応ＴＶモニタ１５と、バンドパスフィルタ（ＢＰＦ）１９とが設けられている。
【０１５１】
ただし、第１の例（図１参照）で示した、同時化回路＆ＬＰＦ１６と、液晶用のデコーダ／コントローラ１７と、液晶表示パネル１８とは削除されている。
【０１５２】
Ｓ端子出力アンプ１４と、Ｓ端子対応ＴＶモニタ１５と、ＢＰＦ１９とは、前述した第２の例で述べた構成と同一なので、その説明については省略する。
【０１５３】
以下、本システムの動作について説明する。
【０１５４】
信号処理回路６内のセレクタ２６の切替え制御によって、出力端子２９のＣ出力から、第１の例と同様な、コンポジット信号を出力する。すなわち、コンポジット信号は、セレクタ２６でｇ−ｉ間を接続することによって出力される。
【０１５５】
また、セレクタ５４およびセレクタ２７の切替え制御によって、出力端子３０のＲＢ出力から、変調クロマ信号を出力する。すなわち、変調クロマ信号は、セレクタ５４でｄ−ｆ間を接続し、セレクタ２７でｊ−ｍ間を接続することによって出力される。
【０１５６】
これにより、変調クロマ信号は、ＲＢ用のＤＡ変換器９でＤＡ変換され、ＢＰＦ１９でクロマ信号帯域のフィルタ処理を施され、Ｓ端子出力アンプ１４にクロマ信号として入力される。一方、Ｓ端子出力アンプ１４の輝度信号入力端子は、ＬＰＦ１０から出力された輝度信号が入力される。
【０１５７】
そして、Ｓ端子出力アンプ１４では、輝度信号とクロマ信号とが別々のビデオアンプでドライブされて出力される。Ｓ端子出力アンプ１４の出力は、後段のＳ端子対応ＴＶモニタ１５に入力され、高解像度のＴＶ画像が表示される。
【０１５８】
また、ＤＡ変換器８では、第１の例と同様に、コンポジット信号がＤＡ変換され、ＬＰＦ１１でＴＶ映像信号帯域のフィルタを通してビデオアンプ１２に入力され、ＮＴＳＣ方式やＰＡＬ方式のＴＶ信号がＴＶモニタ１３から出力される。
【０１５９】
上述したように、表示方式に対応してセレクタ２７からのＲＢ出力が変調クロマ信号となるような切替え制御を行い、ＲＢ用のＤＡ変換器９でＤＡ変換されＢＰＦ１９から出力されたクロマ信号と、ＬＰＦ１０からの輝度信号Ｙとを合わせてＳ端子出力アンプ１４を介してＳ端子対応ＴＶモニタ１５に出力することにより、コンポジット信号のＴＶモニタ表示と、高解像度なＳ端子対応ＴＶモニタ表示とを同時に行うことができる。
【０１６０】
［第４の例］
次に、本発明の第４の実施の形態を、図９に基づいて説明する。なお、前述した各例と同一部分についてはその説明を省略し、同一符号を付す。
【０１６１】
本例では、図８に示すように、Ｂ−Ｙ信号用のＬＰＦ４１と、Ｒ−Ｙ信号用のＬＰＦ４２とが設けられている。そして、３つのＬＰＦ１０，４１，４２は、液晶用のデコーダ／コントローラ１７に接続されている。
【０１６２】
ただし、第１の例（図１参照）で示した、同時化回路＆ＬＰＦ１６と、ビデオアンプ１２と、ＴＶモニタ１３とは削除されている。
【０１６３】
以下、本システムの動作について説明する。
【０１６４】
信号処理回路６内のセレクタ５３およびセレクタ２６の切替え制御によって、出力端子２９から同時化Ｂ−Ｙ信号を出力する。すなわち、同時化Ｂ−Ｙ信号は、セレクタ５３でａ−ｃ間を接続し、セレクタ２６でｈ−ｉ間を接続することによって出力される。
【０１６５】
また、セレクタ５４およびセレクタ２７の切替え制御によって、出力端子３０から同時化Ｒ−Ｙ信号を出力する。すなわち、同時化Ｒ−Ｙ信号は、セレクタ５４でｅ−ｆ間を接続し、セレクタ２７でｊ−ｍ間を接続することによって出力される。
【０１６６】
これにより、Ｙ用のＤＡ変換器７では輝度信号がＤＡ変換され、ＬＰＦ１０で輝度信号帯域のフィルタ処理が施される。
【０１６７】
また、Ｃ用のＤＡ変換器８では同時化Ｂ−Ｙ信号がＤＡ変換され、ＬＰＦ４１で色差信号帯域のフィルタ処理が施される。
【０１６８】
さらに、ＲＢ用のＤＡ変換器９では同時化Ｒ−Ｙ信号がＤＡ変換され、ＬＰＦ４２で色差信号帯域のフィルタ処理が施される。
【０１６９】
そして、Ｙ，Ｂ−Ｙ，Ｒ−Ｙの各信号は、液晶用のデコーダ／コントローラ１７に入力される。この液晶用のデコーダ／コントローラ１７では、第１の例で述べたように、輝度信号Ｙと、Ｂ−ＹとＲ−Ｙの色差信号とをデコードし、液晶表示に必要なＲＧＢ信号を出力する。このＲＧＢ信号に基づいて、液晶表示パネル１８で画像が表示される。
【０１７０】
上述したように、表示方式に対応して、セレクタ２６からのＣ出力が同時化Ｂ−Ｙ信号となるように切替え制御を行うと同時に、セレクタ２７からのＲＢ出力が同時化Ｒ−Ｙ信号となるように切替え制御を行い、液晶へのＹ，Ｂ−Ｙ，Ｒ−Ｙ信号を出力することにより、同時化回路＆ＬＰＦ１６を削減して、液晶のみの表示を行うことができる。
【０１７１】
従って、対象とする表示機器が変わっても、大幅なシステム構成の変更を行うことなく、部品点数を削減した安価な構成とすることができる。
【０１７２】
また、出力端子２９からＤＡ変換器８へのＣ出力を、同時化Ｂ−Ｙ信号とコンポジット信号との時分割切替え制御とすることによって、ＴＶモニタ１３への画像表示を行うことも可能となる。
【０１７３】
なお、前述した本発明に係るシステムは、デジタルカメラ等の撮像装置に適用できるものであるが、この他に、複数の機器（例えば、ホストコンピュータ、インターフェース機器、リーダ、プリンタなど）から構成されるシステムに適用しても、１つの機器（例えば、ＰＤＡ（個人情報管理）機器のような小型の画像処理機器、複写機、ファクシミリ装置）からなる装置に適用してもよい。
【０１７４】
また、本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１７５】
この場合、記憶媒体から読出されたプログラムコード自体が前述した実施形態の機能を実現することになり、そのプログラムコードを記憶した記憶媒体は本発明を構成することになる。
【０１７６】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１７７】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【０１７８】
さらに、記憶媒体から読み出されたプログラムコードが、コンピュータに挿入された機能拡張ポードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１７９】
【発明の効果】
以上説明したように、本発明によれば、表示系の信号処理手段において処理された信号を、その表示系の表示方式に対応して切替え制御されるセレクタを用いて選択し、該選択された信号を所定数の出力端子から出力して表示するようにしたので、ＴＶモニタがコンポジット入力やＳ端子入力に切り替わったり、液晶表示の有無が切り替わるなど、対象とする表示機器が変わった場合でも、様々なシステム構成の変更に対応することができ、多品種の製品展開を行う場合においても、従来のように製品毎に回路設計を行う必要がなくなり、これにより、回路の再設計を行うことなく、様々な組み合わせの表示システムを構築することができ、開発コストを大幅に低減してシステム全体の低コスト化を図ることができる。
【０１８０】
また、本発明によれば、ＴＶモニタと液晶表示パネルに同時に画像表示したり、ＴＶモニタと液晶表示パネルのどちらか一方のみの画像を表示する場合、ＤＡ変換器の電源を個々に制御することにより、システムの電力の低減を図ることも可能となる。
【図面の簡単な説明】
【図１】本発明の第１の実施の形態であるシステム構成を示すブロック図である。
【図２】信号処理回路の内部構成を示すブロック図である。
【図３】同時化回路＆ＬＰＦの内部構成を示すブロック図である。
【図４】ＵＶ信号同時化のためのサンプルホールドパルスのタイミングチャートである。
【図５】メモリに対して、書込み、読出しされる映像データの配列を示す説明図である。
【図６】信号処理回路内でのデータ転送構造を示す説明図である。
【図７】本発明の第２の実施の形態であるシステム構成を示すブロック図である。
【図８】本発明の第３の実施の形態であるシステム構成を示すブロック図である。
【図９】本発明の第４の実施の形態であるシステム構成を示すブロック図である。
【図１０】第１の従来例であるシステム構成を示すブロック図である。
【図１１】第２の従来例であるシステム構成を示すブロック図である。
【符号の説明】
１  ＣＣＤ
２  ＡＤ変換器
３  撮影系信号処理回路
４  メモリＩ／Ｆ
５  メモリ
６  ＴＶ系信号処理回路
７〜９  ＤＡ変換器
１０，１１  ＬＰＦ
１２  ビデオアンプ
１３  ＴＶモニタ
１４  Ｓ端子出力アンプ
１５  Ｓ端子対応ＴＶモニタ
１６  同時化回路＆ＬＰＦ
１７  デコーダ／コントローラ
１８  液晶表示パネル
１９  ＢＰＦ
４１，４２  ＬＰＦ
【図１】
0003986038.tif 000002
【図２】
0003986038.tif 000003
【図３】
0003986038.tif 000004
【図４】
0003986038.tif 000005
【図５】
0003986038.tif 000006
【図６】
0003986038.tif 000007
【図７】
0003986038.tif 000008
【図８】
0003986038.tif 000009
【図９】
0003986038.tif 000010
【図１０】
0003986038.tif 000011
【図１１】
0003986038.tif 000012